(57)【要約】【課題】発光モジュールに要求される光の明るさに関する情報の読み取り精度を向上させることができる点灯装置、および照明装置を提供することである。【解決手段】実施形態に係る点灯装置は、発光素子を有する発光モジュールに電力を供給する点灯装置である。点灯装置は、前記発光モジュールに電力を供給する電力供給部を備えた点灯装置本体と；前記発光モジュールに要求される光の明るさに関する情報を保持し、前記点灯装置本体に着脱可能に設けられる情報保持部と；を具備している。【選択図】図４
2018163774.tif 000002
【特許請求の範囲】
【請求項１】
発光素子を有する発光モジュールに電力を供給する点灯装置であって、
前記発光モジュールに電力を供給する電力供給部を備えた点灯装置本体と；
前記発光モジュールに要求される光の明るさに関する情報を保持し、前記点灯装置本体に着脱可能に設けられる情報保持部と；
を具備した点灯装置。
【請求項２】
前記情報保持部は、前記電力供給部と、前記発光モジュールと、の間に電気的に接続されている請求項１記載の点灯装置。
【請求項３】
前記点灯装置本体は、前記電力供給部を制御する制御部をさらに備え、
情報保持部は、前記制御部に電気的に接続されている請求項１記載の点灯装置。
【請求項４】
前記情報保持部は、前記光の明るさに関する情報に対応した抵抗値を有する抵抗を備えている請求項１〜３のいずれか１つに記載の点灯装置。
【請求項５】
前記点灯装置本体は、
前記抵抗と電気的に接続されるコンパレータと；
前記コンパレータと、前記抵抗と、の間に電気的に接続されたカレントミラー回路と；
をさらに具備した請求項１〜４のいずれか１つに記載の点灯装置。
【請求項６】
前記情報保持部は、前記光の明るさに関する情報を記憶したメモリを備えている請求項１〜３のいずれか１つに記載の点灯装置。
【請求項７】
前記光の明るさに関する情報は、前記発光モジュールに供給する電力の値である請求項６記載の点灯装置。
【請求項８】
前記メモリは、前記点灯装置本体からの情報を記憶する請求項６または７に記載の点灯装置。
【請求項９】
発光素子を有する発光モジュールと；
請求項１〜８のいずれか１つに記載の点灯装置と；
を具備した照明装置。
【発明の詳細な説明】
【技術分野】
【０００１】
本発明の実施形態は、点灯装置、および照明装置に関する。
【背景技術】
【０００２】
ＬＥＤ（light emitting diode）を有する発光モジュールと、発光モジュールに電力を供給する点灯装置と、を具備した照明装置がある。近年においては、発光モジュールの標準化が進み、例えば、外形形状やコネクタの形式などが統一されるようになってきている。
しかしながら、外形形状やコネクタの形式などが同じであっても、発光モジュールに設けられたＬＥＤの数や順方向電圧特性は同じであるとは限らない。そのため、点灯装置に接続される発光モジュールが変わると発光モジュールから照射される光の明るさが変化する場合がある。また、技術の進歩に伴いＬＥＤの発光効率は年々向上している。そのため、形式的には同じ発光モジュールを点灯装置に接続した場合であっても、発光モジュールから照射される光の明るさが以前より明るくなる場合もある。また、照明装置の用途や種類などによっては、発光モジュールから照射される光の明るさを積極的に変更したい場合もある。
【０００３】
そこで、発光モジュールに要求される光の明るさに関する情報が予め設定された発光モジュールが提案されている（例えば、特許文献１を参照）。発光モジュールが点灯装置に接続されると、点灯装置は発光モジュールに設定されている情報を読み取り、当該情報に基づいて発光モジュールに供給する電力を変化させる。この様にすれば、発光モジュールから照射される光の明るさを所望のものとすることができる。
【０００４】
ところが、当該情報を発光モジュールに設定すると、発光モジュールと点灯装置との間の配線抵抗の影響を受けやすくなる。例えば、発光モジュールと点灯装置との間の配線が長くなると配線抵抗が大きくなるので、点灯装置が当該情報を誤って読み取るおそれがある。点灯装置が当該情報を誤って読み取ると、発光モジュールから照射される光の明るさが所望のものとならなくなるおそれがある。  
そこで、発光モジュールに要求される光の明るさに関する情報の読み取り精度を向上させることができる技術の開発が望まれていた。
【先行技術文献】
【特許文献】
【０００５】
【特許文献１】特開２０１６−１７０９８６号公報
【発明の概要】
【発明が解決しようとする課題】
【０００６】
本発明が解決しようとする課題は、発光モジュールに要求される光の明るさに関する情報の読み取り精度を向上させることができる点灯装置、および照明装置を提供することである。
【課題を解決するための手段】
【０００７】
実施形態に係る点灯装置は、発光素子を有する発光モジュールに電力を供給する点灯装置である。点灯装置は、前記発光モジュールに電力を供給する電力供給部を備えた点灯装置本体と；前記発光モジュールに要求される光の明るさに関する情報を保持し、前記点灯装置本体に着脱可能に設けられる情報保持部と；を具備している。
【発明の効果】
【０００８】
本発明の実施形態によれば、発光モジュールに要求される光の明るさに関する情報の読み取り精度を向上させることができる点灯装置、および照明装置を提供することができる。
【図面の簡単な説明】
【０００９】
【図１】本実施の形態に係る照明装置１を例示するための模式図である。
【図２】発光モジュール２を例示するための模式断面図である。
【図３】発光モジュール２の回路図である。
【図４】照明装置１の回路図である。
【図５】検出電流Ｉｄｅｔの検出を例示するための回路図である。
【図６】他の実施形態に係る検出電流Ｉｄｅｔの検出を例示するための回路図である。
【図７】他の実施形態に係る検出電流Ｉｄｅｔの検出を例示するための回路図である。
【図８】他の実施形態に係る検出電流Ｉｄｅｔの検出を例示するための回路図である。
【図９】他の実施形態に係る検出電流Ｉｄｅｔの検出を例示するための回路図である。
【発明を実施するための形態】
【００１０】
以下、図面を参照しつつ、実施の形態について例示をする。なお、各図面中、同様の構成要素には同一の符号を付して詳細な説明は適宜省略する。  
図１は、本実施の形態に係る照明装置１を例示するための模式図である。  
図２は、発光モジュール２を例示するための模式断面図である。  
なお、図２は、図１における発光モジュール２のＡ−Ａ線断面図である。  
図３は、発光モジュール２の回路図である。
【００１１】
図１に示すように、照明装置１には、発光モジュール２および点灯装置３が設けられている。  
また、図１および図２に示すように、発光モジュール２には、基板２１、発光素子２２、枠部２３、および封止部２４が設けられている。
【００１２】
基板２１は、板状を呈し、表面に配線パターン２１ａが設けられている。また、基板２１の周縁近傍には、接続端子２６、２７が設けられている。接続端子２６、２７は、配線パターン２１ａを介して発光素子２２と電気的に接続されている。基板２１は、例えば、熱伝導率の高い材料を用いて形成することができる。基板２１は、例えば、セラミックス、金属板の表面を絶縁性材料で被覆したものなどから形成することができる。
【００１３】
発光素子２２は、例えば、発光ダイオード、レーザダイオードなどとすることができる。発光素子２２は、ＣＯＢ（Chip on Board）方式を用いて、実装パッドの上に実装されている。なお、図２に例示をした発光素子２２は、フリップチップ型の発光素子であるが、上下電極型の発光素子や上部電極型の発光素子とすることもできる。また、発光素子２２は、表面実装型の発光素子としたり、リード線を有する砲弾型の発光素子としたりすることもできる。発光素子２２の数は、１つ以上であればよい。複数の発光素子２２が設けられる場合には、図３に示すように、複数の発光素子２２を直列接続および/または並列接続することができる。また、複数の発光素子２２の配置や数は、照明装置１の用途などに応じて適宜変更することができる。
【００１４】
枠部２３は、枠状を呈している。枠部２３は、基板２１の発光素子２２が設けられる面に設けられている。枠部２３は、発光素子２２を囲むように設けられている。枠部２３は、例えば、ＰＢＴ（polybutylene terephthalate）、ＰＣ（polycarbonate）、およびシリコーン系樹脂などの樹脂や、セラミックスなどから形成することができる。枠部２３は、封止部２４が形成される領域を規定する機能を有する。また、樹脂に酸化チタンなどからなる粒子を混合して、枠部２３にリフレクタの機能を持たせることもできる。枠部２３は、必ずしも必要ではなく省くこともできる。枠部２３が設けられない場合には、例えば、ドーム状の封止部２４が形成される。
【００１５】
封止部２４は、枠部２３の内側に設けられている。封止部２４の上面は平坦面とすることもできるし、凸状または凹状の曲面とすることもできる。封止部２４は、例えば、シリコーン系樹脂などの透明樹脂から形成することができる。また、必要に応じて、蛍光体を含ませることができる。なお、発光素子２２が、表面実装型の発光素子や砲弾型の発光素子の場合には、封止部２４を省くことができる。  
また、図３に示すように、発光素子２２に逆向きの電流が流れないように、ダイオード２５を設けることもできる。
【００１６】
図４は、照明装置１の回路図である。  
図４に示すように、照明装置１には、発光モジュール２および点灯装置３が設けられている。点灯装置３は、点灯装置本体３０および情報保持部５０を有する。  
点灯装置本体３０は、例えば、交流電源１００と電気的に接続される。点灯装置本体３０には、交流電源１００から交流電力が供給される。交流電源１００は、例えば、商用電源である。交流電源１００は、例えば、自家発電機などでもよい。なお、点灯装置本体３０に供給される電力は、直流電力などでもよい。点灯装置本体３０に供給される電力が直流電力である場合は、後述する整流回路３２を省略することができる。以下においては、一例として、点灯装置本体３０に交流電力が供給される場合を例に挙げて説明する。
【００１７】
点灯装置本体３０は、発光モジュール２と電気的に接続される。点灯装置本体３０は、交流電源１００から供給された交流電力を発光モジュール２に対応した直流電力に変換して発光モジュール２に供給する。すなわち、点灯装置本体３０は、発光モジュール２を点灯させる。
【００１８】
点灯装置本体３０は、フィルタ回路３１、整流回路３２、突入防止回路３３、電源電圧検出回路３４、力率改善回路３５、平滑コンデンサ３６、制御用電源回路３７、電力供給部３８、コンデンサ３９、および制御部４０を有する。  
制御部４０は、例えば、マイクロコンピュータ４０ｃを備えたものとすることができる。また、制御部４０は、マイクロコンピュータ４０ｃのメモリに記憶されている動作プログラムに基づいて、電力供給部３８などの制御や後述する各種の検出などを行う。
【００１９】
フィルタ回路３１は、交流電源１００と電気的に接続されている。フィルタ回路３１は、例えば、交流電源１００から供給された交流電力に含まれるノイズを抑制する。  
整流回路３２は、フィルタ回路３１と電気的に接続されている。整流回路３２は、フィルタ回路３１を介して入力された交流電圧を整流して整流電圧に変換する。整流回路３２には、例えば、４つの整流素子を組み合わせたダイオードブリッジを用いることができる。すなわち、整流回路３２は、全波整流器とすることができる。整流電圧は、例えば、脈流電圧とすることができる。
【００２０】
整流回路３２は、一対の入力端子３２ａ、３２ｂと、高電位出力端子３２ｃと、低電位出力端子３２ｄと、を有する。入力端子３２ａ、３２ｂは、フィルタ回路３１と電気的に接続されている。整流回路３２は、入力端子３２ａ、３２ｂを介して入力される交流電圧を整流電圧に変換し、高電位出力端子３２ｃ及び低電位出力端子３２ｄから出力する。低電位出力端子３２ｄの電位は、基準電位（例えば接地電位）に設定される。高電位出力端子３２ｃの電位は、低電位出力端子３２ｄの電位よりも高い電位に設定される。
【００２１】
整流回路３２は、半波整流器などでもよい。整流電圧は、全波整流された脈流でもよいし、半波整流された脈流でもよい。整流回路３２には、例えば、ショットキーバリアダイオードを用いることができる。ショットキーバリアダイオードを用いれば、例えば、良好な応答性を得ることができる。
【００２２】
突入防止回路３３は、高電位出力端子３２ｃと電気的に接続されている。突入防止回路３３は、電源投入時に生じる突入電流を抑制する。
【００２３】
電源電圧検出回路３４は、突入防止回路３３の出力側に接続されている。電源電圧検出回路３４は、例えば、突入防止回路３３の出力側と低電位出力端子３２ｄとの間に接続される。電源電圧検出回路３４は、交流電源１００から供給された交流電圧の異常を検出する。電源電圧検出回路３４は、例えば、整流回路３２で整流された整流電圧を基に、交流電圧の異常を検出する。電源電圧検出回路３４は、例えば、整流電圧の実効値が所定の範囲内にあるか否かを判定し、所定の範囲内にないときに、交流電圧を異常と判定する。すなわち、電源電圧検出回路３４は、交流電圧の実効値が過度に小さいときや過度に大きいときに、交流電圧を異常とする。
【００２４】
電源電圧検出回路３４は、制御部４０と電気的に接続されている。電源電圧検出回路３４は、交流電圧の異常の検出結果を制御部４０に入力する。制御部４０は、電源電圧検出回路３４によって交流電圧の異常が検出された場合には、電力供給部３８に発光モジュール２への直流電力の供給を停止させる。そのため、例えば、異常な電圧の印加による発光モジュール２の故障などを抑制することができる。
【００２５】
力率改善回路３５は、突入防止回路３３の出力側と低電位出力端子３２ｄとの間に接続されている。力率改善回路３５は、整流電圧において、電源周波数の整数倍の高調波の発生を抑制する。力率改善回路３５は、整流電圧の力率を改善することができる。
【００２６】
力率改善回路３５は、例えば、スイッチング素子３５ａ、インダクタ３５ｂ、およびダイオード３５ｃを有する。スイッチング素子３５ａは、電極３５ａ１〜電極３５ａ３を有する。インダクタ３５ｂの一端は、突入防止回路３３の出力側と電気的に接続されている。インダクタ３５ｂの他端は、電極３５ａ１と電気的に接続されている。電極３５ａ２は、低電位出力端子３２ｄと電気的に接続されている。ダイオード３５ｃのアノードは、電極３５ａ１と電気的に接続されている。ダイオード３５ｃのカソードは、平滑コンデンサ３６の一端と電気的に接続されている。平滑コンデンサ３６の他端は、低電位出力端子３２ｄと電気的に接続されている。すなわち、図４に例示をした力率改善回路３５は、昇圧チョッパ回路である。ただし、力率改善回路３５は、昇圧チョッパ回路に限定されるわけではなく、整流電圧の力率を改善することができる任意の回路とすることができる。
【００２７】
電極３５ａ３は、制御部４０と電気的に接続されている。電極３５ａ３は、いわゆる制御電極である。スイッチング素子３５ａは、制御部４０からの信号に応じてスイッチングを行う。力率改善回路３５は、例えば、スイッチング素子３５ａをスイッチングさせて、入力電流を正弦波に近づけることにより、力率を改善する。
【００２８】
スイッチング素子３５ａは、例えば、ｎチャネル形のＦＥＴとすることができる。例えば、電極３５ａ１は、ドレイン電極であり、電極３５ａ２は、ソース電極であり、電極３５ａ３は、ゲート電極である。スイッチング素子３５ａは、例えば、ｐチャネル形のＦＥＴでもよいし、バイポーラトランジスタなどでもよい。
【００２９】
平滑コンデンサ３６は、力率改善後の脈流電圧を平滑化することにより、脈流電圧を直流電圧に変換する。
【００３０】
制御用電源回路３７は、例えば、平滑コンデンサ３６の高電位側の一端と電気的に接続される。制御用電源回路３７には、平滑コンデンサ３６によって平滑化された直流電圧が入力される。制御用電源回路３７は、平滑コンデンサ３６によって平滑化された直流電圧を、制御部４０の駆動電圧に変換して、制御部４０に供給する。制御部４０は、制御用電源回路３７から供給された電力により駆動される。
【００３１】
電力供給部３８は、入力端子３８ａ、入力端子３８ｂ、出力端子３８ｃ、および出力端子３８ｄを有する。入力端子３８ａは、平滑コンデンサ３６の高電位側の一端と電気的に接続されている。入力端子３８ｂは、低電位出力端子３２ｄと電気的に接続されている。これにより、電力供給部３８には、直流電圧が供給される。出力端子３８ｃは、コンデンサ３９の一端と電気的に接続されている。出力端子３８ｄは、コンデンサ３９の他端と電気的に接続されている。電力供給部３８は、例えば、出力端子３８ｃと出力端子３８ｄとから直流電力を発光モジュール２に供給する。
【００３２】
電力供給部３８は、例えば、スイッチング素子４１、ダイオード４２、およびインダクタ４３を有する。スイッチング素子４１は、電極４１ａ、電極４１ｂ、および電極４１ｃを有する。電極４１ａは、入力端子３８ａと電気的に接続されている。電極４１ｂは、ダイオード４２のカソードと電気的に接続されている。ダイオード４２のアノードは、低電位出力端子３２ｄと電気的に接続されている。インダクタ４３の一端は、電極４１ｂと電気的に接続されている。インダクタ４３の他端は、出力端子３８ｃと電気的に接続されている。出力端子３８ｄは、低電位出力端子３２ｄと電気的に接続されている。すなわち、出力端子３８ｃは、高電位側の出力端子であり、出力端子３８ｄは、低電位側の出力端子である。出力端子３８ｃの電位は、出力端子３８ｄの電位よりも高い。これとは反対に、出力端子３８ｄの電位を出力端子３８ｃの電位より高くしてもよい。図４に例示をした電力供給部３８は、定電流回路である。より詳しくは、降圧チョッパ回路である。
【００３３】
電極４１ｃは、制御部４０と電気的に接続されている。電極４１ｃは、いわゆる制御電極である。スイッチング素子４１は、制御部４０からの信号に応じてスイッチングを行う。制御部４０は、例えば、スイッチング素子４１をスイッチングさせることにより、直流電圧をコンデンサ３９の両端に生じさせる。これにより、電力供給部３８から発光モジュール２に電力が供給される。そして、制御部４０は、例えば、スイッチング素子４１をオフ状態にすることにより、電力供給部３８から発光モジュール２への電力の供給を停止させる。また、制御部４０は、後述する情報保持部５０に保持された情報に基づいて、スイッチング素子４１のスイッチング周期を変化させることにより、発光モジュール２に供給する電力を変化させる。情報保持部５０および制御部４０の作用に関する詳細は後述する。
【００３４】
スイッチング素子４１は、例えば、ｎチャネル形のＦＥＴとすることができる。例えば、電極４１ａは、ドレイン電極であり、電極４１ｂは、ソース電極であり、電極４１ｃは、ゲート電極である。スイッチング素子４１は、例えば、ｐチャネル形のＦＥＴでもよいし、バイポーラトランジスタなどでもよい。  
なお、電力供給部３８は、前述した回路構成に限定されるわけではなく、発光モジュール２に対して所望の電力が供給可能な回路であればよい。
【００３５】
また、点灯装置本体３０には、接続端子３０ａ、接続端子３０ｂ、および接続端子３０ｃが設けられている。接続端子３０ａと接続端子３０ｂとによって、第１経路Ｐ１が形成される。接続端子３０ａと接続端子３０ｃとによって、第２経路Ｐ２が形成される。なお、図４においては、３つの接続端子が設けられる場合を例示したが、接続端子の数は２つであってもよい（例えば、図６〜図８を参照）。
【００３６】
接続端子３０ａは、出力端子３８ｃと電気的に接続されている。接続端子３０ｂは、制御部４０と電気的に接続されている。接続端子３０ｃは、出力端子３８ｄと電気的に接続されている。そのため、第１経路Ｐ１では、接続端子３０ａから接続端子３０ｂに向けて電流が流れる。第２経路Ｐ２では、接続端子３０ａから接続端子３０ｃに向けて電流が流れる。
【００３７】
また、点灯装置本体３０には、調光回路４４をさらに設けることもできる。調光回路４４には、例えば、外部の壁スイッチなどから調光信号が入力される。調光信号は、例えば、調光器などによって導通角制御された交流電圧などでもよい。調光回路４４は、制御部４０と電気的に接続されている。調光回路４４は、例えば、調光信号に基づいて、調光度を表す信号を生成し、その信号を制御部４０に入力する。調光度を表す信号とは、例えば、調光度に応じたデューティ比のＰＷＭ信号などである。制御部４０は、例えば、調光回路４４から入力された信号に基づいて、スイッチング素子４１のスイッチングを制御する。これにより、調光信号に応じた調光度で発光モジュール２が調光される。発光モジュール２から照射される光の明るさが、調光信号に応じて制御される。
【００３８】
ここで、前述したように、発光モジュール２に設けられる発光素子２２の数は、照明装置１の用途などに応じて適宜変更される。そのため、発光素子２２の数が異なる発光モジュール２が点灯装置本体３０に接続されると、発光モジュールから照射される光の明るさが変化することになる。また、発光素子２２の順方向電圧特性には、ばらつきがある。そのため、形式的には同じ発光モジュール２を点灯装置本体３０に接続した場合であっても、発光モジュール２から照射される光の明るさがばらつくことになる。さらに、技術の進歩に伴い発光素子２２の発光効率は年々向上している。そのため、形式的には同じ発光モジュール２を点灯装置本体３０に接続した場合であっても、発光モジュール２から照射される光の明るさが以前より明るくなる場合もある。
【００３９】
この場合、例えば、スタジオや舞台などに設けられる照明装置の場合には、発光モジュール２の交換の前後において同様の明るさの光が照射されることが望まれている。  
一方、照明装置の用途や種類などによっては、発光モジュール２から照射される光の明るさを積極的に変更したい場合もある。
【００４０】
そこで、本実施の形態に係る点灯装置３には、発光モジュール２に要求される光の明るさに関する情報を保持可能な情報保持部５０が設けられている。    
この場合、発光モジュール２に要求される光の明るさに関する情報を、発光モジュール２に供給すべき電力に関する情報に変換し、変換された電力に関する情報を情報保持部５０に保持させることができる。情報保持部５０に保持させる電力に関する情報は、例えば、当該発光モジュール２に関して予め測定された供給電力と照射される光の明るさとの関係と、当該発光モジュール２に要求される光の明るさとから求めることができる。
【００４１】
図４に示すように、情報保持部５０には、基板５１、抵抗５２、接続端子５３、接続端子５４、および接続端子５５が設けられている。  
基板５１は、板状を呈し、表面に配線パターン５１ａが設けられている。基板５１の材料には特に限定はない。基板５１は、例えば、セラミックスなどの無機材料、紙フェノールやガラスエポキシなどの有機材料、金属板の表面を絶縁性材料で被覆したものなどから形成することができる。
【００４２】
抵抗５２は、基板５１の上に設けられている。抵抗５２は、基板５１の表面に設けられた配線パターン５１ａと電気的に接続されている。抵抗５２の抵抗値は、例えば、１Ω以下とすることができる。抵抗５２は、例えば、表面実装型の抵抗器、リード線を有する抵抗器（酸化金属皮膜抵抗器）、スクリーン印刷法などを用いて形成された膜状の抵抗器などとすることができる。膜状の抵抗器の材料は、例えば、酸化ルテニウム（ＲｕＯ２）とすることができる。膜状の抵抗器は、例えば、スクリーン印刷法および焼成法を用いて形成することができる。
【００４３】
本実施の形態に係る情報保持部５０は、発光モジュール２に供給すべき電力に関する情報を、抵抗５２の抵抗値として保持する。
すなわち、情報保持部５０は、発光モジュール２に要求される光の明るさに関する情報に対応した抵抗値を有する抵抗５２を備えている。抵抗５２の抵抗値は、例えば、予め定められた電力と抵抗値との関係と、発光モジュール２に供給すべき電力とから求めることができる。
抵抗５２が表面実装型の抵抗器やリード線を有する抵抗器などの場合には、求められた抵抗値となるように適切な抵抗値を有する抵抗５２を選択したり、複数の抵抗５２の数や接続を変更したりすることができる。抵抗５２が膜状の抵抗器の場合には、抵抗５２の一部を除去すれば、抵抗値を増加させることができる。例えば、抵抗５２にレーザ光を照射すれば抵抗５２の一部を容易に除去することができる。
【００４４】
接続端子５３、５４、５５は、基板５１の周縁の近傍に設けることができる。接続端子５３は、配線パターン５１ａを介して、抵抗５２と接続端子５５の間に電気的に接続されている。接続端子５３は、接続端子３０ｂと電気的に接続される。接続端子５４は、配線パターン５１ａを介して、抵抗５２の一端と電気的に接続されている。接続端子５４は、接続端子３０ｃと電気的に接続される。接続端子５５は、配線パターン５１ａを介して、抵抗５２の他端と電気的に接続されている。接続端子５５は、接続端子２７と電気的に接続される。
【００４５】
情報保持部５０と点灯装置本体３０との間の電気抵抗を低くすれば、後述する検出電流Ｉｄｅｔの読み取り精度、ひいては発光モジュール２に要求される光の明るさに関する情報の読み取り精度を向上させることができる。そのため、情報保持部５０は点灯装置本体３０の近傍に設けることが好ましい。この場合、点灯装置本体３０に対して情報保持部５０を着脱可能に設ければ、電気抵抗の低減と、発光モジュール２に要求される光の明るさに関する情報の変更が容易となる。
【００４６】
点灯装置本体３０に対して情報保持部５０を着脱可能に設ける場合には、接続端子５３は、接続端子３０ｂに対して着脱可能とすることができる。また、接続端子５４は、接続端子３０ｃに対して着脱可能とすることができる。例えば、接続端子５３、５４は、エッジ・コネクタ(edge connector)とすることができる。接続端子３０ｂ、３０ｃは、エッジ・コネクタ・ソケット(edge connector socket)とすることができる。
【００４７】
一方、点灯装置本体３０と発光モジュール２との位置関係は、照明装置１の用途や大きさなどに応じて変化する。そのため、一般的には、接続端子３０ａと接続端子２６との間、および接続端子５５と接続端子２７との間は配線により電気的に接続される。
【００４８】
次に、情報保持部５０および制御部４０の作用について説明する。  
第１経路Ｐ１に流れる電流は、抵抗５２の抵抗値により変化する。そのため、接続端子３０ｂを介して制御部４０に入力される電流を検出電流Ｉｄｅｔとすることができる。  
図５は、検出電流Ｉｄｅｔの検出を例示するための回路図である。  
図５に示すように、情報保持部５０は、電力供給部３８と発光モジュール２との間に電気的に接続されている。検出電流Ｉｄｅｔの検出は、例えば、制御部４０に設けられた検出回路４０ａにより行うことができる。検出回路４０ａは、例えば、コンパレータ４０ａ１と、電源４０ａ２とを有するものとすることができる。  
制御部４０は、予め記憶されている検出電流Ｉｄｅｔの値と発光モジュール２に供給すべき電力との関係と、検出された検出電流Ｉｄｅｔの値と、から発光モジュール２に供給すべき電力を求め、求められた電力に基づいてスイッチング素子４１のスイッチング周期を変化させて、要求された電力を発光モジュール２に供給する。
【００４９】
本実施の形態に係る点灯装置３とすれば、情報保持部５０が保持する情報に基づいて発光モジュール２から照射される光の明るさを制御することができる。発光素子２２の数が異なる発光モジュール２が点灯装置本体３０に接続されたり、発光素子２２の順方向電圧特性にばらつきがあったり、技術の進歩に伴い発光素子２２の発光効率が向上したりした場合であっても、発光モジュール２から照射される光の明るさを所望の明るさにすることができる。
【００５０】
ここで、発光モジュール２に情報保持部５０の機能を持たせることもできる。例えば、発光モジュール２に抵抗５２を設け、抵抗５２の値を所望の値に設定することもできる。ところが、前述したように、点灯装置本体３０と発光モジュール２との位置関係は、照明装置１の用途や大きさなどに応じて変化する。そのため、一般的には、点灯装置本体３０と発光モジュール２との間は配線により電気的に接続される。また、抵抗５２の抵抗値は、比較的小さな値（例えば、１Ω以下）とされる。そのため、発光モジュール２に抵抗５２を設けるようにすると、点灯装置本体３０と発光モジュール２との間を電気的に接続する配線の抵抗の影響を受けやすくなる。例えば、配線が長くなると配線抵抗が大きくなるので、検出電流Ｉｄｅｔが小さくなり、制御部４０が検出電流Ｉｄｅｔの値を誤って読み取るおそれがある。また、発光モジュール２（発光素子２２）において発生した熱で接続端子２６、２７などが酸化し、接触抵抗が増加するおそれもある。接触抵抗が増加すると、前述した配線抵抗の増加と同様に、検出電流Ｉｄｅｔが小さくなり、制御部４０が検出電流Ｉｄｅｔの値を誤って読み取るおそれがある。検出電流Ｉｄｅｔの値の読み取り誤差が大きくなると、発光モジュール２から照射される光の明るさが所望のものとならなくなるおそれがある。この場合、予め測定された配線抵抗の値に基づいて抵抗５２の値を補正することもできる。しかしながら、照明装置１の用途や大きさなどに応じて配線の長さは変化するので、配線抵抗の値に基づいて抵抗５２の値を補正するのは煩雑である。
【００５１】
これに対して、本実施の形態に係る点灯装置３とすれば、情報保持部５０と点灯装置本体３０との間の電気抵抗を低減させることができるので、検出電流Ｉｄｅｔの読み取り精度、ひいては発光モジュール２に要求される光の明るさに関する情報の読み取り精度を向上させることができる。この場合、点灯装置本体３０に対して情報保持部５０を着脱可能に設ければ、情報保持部５０と点灯装置本体３０との間の電気抵抗を大幅に低減させることができるとともに、発光モジュール２に要求される光の明るさに関する情報の変更が容易となる。
【００５２】
図６は、他の実施形態に係る検出電流Ｉｄｅｔの検出を例示するための回路図である。  図６に示すように、情報保持部５０は、電力供給部３８を制御する制御部に電気的に接続されている。検出電流Ｉｄｅｔの検出は、例えば、制御部４０に設けられた検出回路４０ｂにより行うことができる。検出回路４０ｂは、例えば、コンパレータ４０ａ１、電源４０ａ２、抵抗４０ｂ１、および抵抗４０ｂ２を有するものとすることができる。抵抗４０ｂ１および抵抗４０ｂ２の一端は、コンパレータ４０ａ１の正側の入力端子に電気的に接続されている。抵抗４０ｂ１の他端は電源４０ａ２に電気的に接続され、抵抗４０ｂ２の他端は設置されている。
【００５３】
また、点灯装置本体３０には、接続端子３０ｂ１と接続端子３０ｂ２が設けられている。接続端子３０ｂ１は、コンパレータ４０ａ１の正側の入力端子と、抵抗４０ｂ１および抵抗４０ｂ２と、の間に電気的に接続されている。接続端子３０ｂ２は、抵抗４０ｂ２の接地側に電気的に接続されている。接続端子５３は、接続端子３０ｂ１と電気的に接続される。接続端子５４は、接続端子３０ｂ２と電気的に接続される。なお、本実施の形態においては、情報保持部５０に接続端子５５を設ける必要はない。
【００５４】
検出回路４０ｂにおいては、コンパレータ４０ａ１の正側に流れる検出電流Ｉｄｅｔの値は、抵抗４０ｂ１、４０ｂ２、５２の合成抵抗の値により決まる。そのため、抵抗５２の値を変化させれば、検出電流Ｉｄｅｔの値を変化させることができる。
【００５５】
本実施の形態によれば、図５に例示をしたものと同様に、発光モジュール２から照射される光の明るさを所望の明るさにすることができる。また、発光モジュール２に要求される光の明るさに関する情報の読み取り精度を向上させることができる。  
ここで、図５に例示をしたように、点灯装置本体３０と発光モジュール２との間に情報保持部５０を電気的に接続すると、情報保持部５０が電力供給部３８に電気的に接続されることになる。情報保持部５０が電力供給部３８に電気的に接続されると、検出電流Ｉｄｅｔの検出時のみならず発光モジュール２を点灯させる際にも抵抗５２に電流が流れることになる。そのため、発光モジュール２の点灯中に電力が無駄に消費されるおそれがある。
これに対し、本実施の形態によれば、情報保持部５０は電力供給部３８に電気的に接続されていないので、発光モジュール２の点灯中に電力が無駄に消費されるのを抑制することができる。この場合、検出電流Ｉｄｅｔの検出は、例えば、電源投入時のみに行う様にすればよい。
また、発熱源である発光モジュール２（発光素子２２）から離隔した位置に情報保持部５０を設けることができるので、接続端子５３、５４などが酸化し、接触抵抗が増加するのを抑制することができる。そのため、検出電流Ｉｄｅｔの読み取り精度をさらに向上させることができる。
またさらに、点灯装置本体３０に対する情報保持部５０の接続位置を所望に位置とすることができるので、照明装置１の用途や大きさなどに応じて適切な位置に接続端子３０ｂ１、３０ｂ２を配置することができる。
【００５６】
図７は、他の実施形態に係る検出電流Ｉｄｅｔの検出を例示するための回路図である。  図６に例示をした検出電流Ｉｄｅｔの検出においてはコンパレータ４０ａ１を用いている。本実施の形態においては、制御部４０に設けられているマイクロコンピュータ４０ｃにより検出電流Ｉｄｅｔの検出を行う様にしている。  
本実施の形態によれば、図６に例示をしたものと同様の効果を享受することができる。また、制御部４０により検出電流Ｉｄｅｔの検出を行えばよいので、別途検出回路を設ける必要がない。そのため、点灯装置本体３０の簡略化、ひいては製造コストの低減を図ることができる。
【００５７】
図８は、他の実施形態に係る検出電流Ｉｄｅｔの検出を例示するための回路図である。  図８に示すように、情報保持部５０ａはマイクロコンピュータ５２ａと、接続端子５６ａ〜５６ｄを備えたものとすることができる。点灯装置本体３０には、接続端子５６ａに電気的に接続される接続端子３０ｂ３、接続端子５６ｂに電気的に接続される接続端子３０ｂ４、接続端子５６ｃに電気的に接続される接続端子３０ｂ５、および接続端子５６ｄに電気的に接続される接続端子３０ｂ６を設けることができる。
【００５８】
マイクロコンピュータ５２ａに設けられたメモリ５２ａ１には、発光モジュール２に要求される光の明るさに関する情報として、発光モジュール２に供給する電力の値を記憶させることができる。そして、マイクロコンピュータ５２ａは、マイクロコンピュータ４０ｃからの要求に応じて、メモリ５２ａ１に記憶されている電力の値をマイクロコンピュータ４０ｃに送信する。マイクロコンピュータ４０ｃは、受信した電力の値に基づいてスイッチング素子４１のスイッチング周期を変化させて、要求された電力を発光モジュール２に供給する。
【００５９】
本実施の形態によれば、図７に例示をしたものと同様の効果を享受することができる。また、マイクロコンピュータ４０ｃは、電力供給部３８における電圧、電流、電力などの変化や、発光モジュール２から照射される光の明るさ、温度、湿度などの経時的な変化に関する情報を測定し、マイクロコンピュータ５２ａに送信することができる。なお、発光モジュール２から照射される光の明るさは、例えば、情報保持部５０や照明装置１の所望の位置にフォトダイオードなどの光検出器を設け、光検出器により測定することができる。また、温度や湿度も同様に温度測定器や湿度測定器を適宜設けるようにすればよい。マイクロコンピュータ５２ａは受信した情報をメモリ５２ａ１に記憶したり、有線通信または無線通信により外部の機器に送信したりすることができる。この様にすれば、照明装置１の使用状態の変化や故障の経緯などの履歴情報が分かる。そのため、メモリ５２ａ１に記憶された履歴情報に基づいて、故障原因を特定したり、照明装置１の改良や新製品の開発を行ったりすることが容易となる。
【００６０】
図９は、他の実施形態に係る検出電流Ｉｄｅｔの検出を例示するための回路図である。  図５および図６に例示をしたように、コンパレータ４０ａ１を有する検出回路４０ａ、４０ｂを用いれば検出電流Ｉｄｅｔを検出することができる。しかしながら、一般的に、コンパレータ４０ａ１はインピーダンスが高いのでノイズの影響を受けやすくなる。そこで、本実施の形態においては、接続端子３０ｂ１、３０ｂ２と、コンパレータ４０ａ１との間にカレントミラー回路４０ｄを電気的に接続している。情報保持部５０が点灯装置本体３０に電気的に接続された際には、カレントミラー回路４０ｄは、コンパレータ４０ａ１と抵抗５２との間に電気的に接続される。なお、カレントミラー回路４０ｄには既知の技術を適用することができるので構成の説明は省略する。
【００６１】
カレントミラー回路４０ｄにおいては、抵抗４０ｄ１と抵抗５２の合成抵抗で決まる入力側の電流Ｉｒｅｆの値と、出力側の電流Ｉｏｕｔの値が等しくなる。そのため、例えば、点灯装置本体３０から情報保持部５０を着脱しても、コンパレータ４０ａ１には安定した電流値を利用した電圧を常に入力することができる。そのため、発光モジュール２に要求される光の明るさに関する情報の読み取り精度をさらに向上させることができる。
【００６２】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００６３】
１  照明装置、  ２  発光モジュール、３  点灯装置、２２  発光素子、３０  点灯装置本体、３０ａ〜３０ｃ  接続端子、３０ｂ１〜３０ｂ６  接続端子、３８  電力供給部、４０  制御部、４０ａ  検出回路、４０ａ１  コンパレータ、４０ｃ  マイクロコンピュータ、４０ｄ  カレントミラー回路、５０  情報保持部、５１  基板、５２  抵抗、５２ａ  マイクロコンピュータ、５２ａ１  メモリ、５３  接続端子、５４  接続端子、５５  接続端子、５６ａ〜５６ｄ  接続端子
【図１】
2018163774.tif 000003
【図２】
2018163774.tif 000004
【図３】
2018163774.tif 000005
【図４】
2018163774.tif 000006
【図５】
2018163774.tif 000007
【図６】
2018163774.tif 000008
【図７】
2018163774.tif 000009
【図８】
2018163774.tif 000010
【図９】
2018163774.tif 000011